(57)【要約】 【課題】パチンコ玉を貯留する貯留タンクの優先順位を容易に切り替えることが可能なパチンコ玉誘導部材を提供する。【解決手段】上部タンクで溢れたパチンコ玉、又は隣接する遊技島から供給されたパチンコ玉を下部貯留タンクへ流下させる経路上に設けられたパチンコ玉誘導部材であって、該パチンコ玉誘導部材は回動可能に設けられ、流下してきたパチンコ玉を当接させる誘導面を有し、該誘導面を第１流下樋の方向へ向かって下り傾斜させた第１姿勢と、第２流下樋の方向へ向かって下り傾斜させた第２姿勢とで固定可能である構成とした。【選択図】図３
2007082948.tif 000002
【特許請求の範囲】
【請求項１】
複数台列設されたパチンコ遊技機と、パチンコ玉を貯留する下部貯留タンクと、パチンコ玉を揚送する玉揚送装置と、該玉揚送装置によって揚送されたパチンコ玉を貯留する上部タンクとを備え、前記下部貯留タンクから排出したパチンコ玉を前記玉揚送装置により上部タンク内に揚送し、該上部タンクからパチンコ遊技機に供給して循環還流するように成した遊技島において、前記上部タンクで溢れたパチンコ玉、又は隣接する遊技島から供給されたパチンコ玉を前記下部貯留タンクへ流下させる経路上に設けられたパチンコ玉誘導部材であって、
該パチンコ玉誘導部材は回動可能に設けられ、
流下してきたパチンコ玉を当接させる誘導面を有し、
該誘導面を第１の方向へ向かって下り傾斜させた第１姿勢と、
第１の方向とは逆の第２の方向へ向かって下り傾斜させた第２姿勢とで固定可能であることを特徴とするパチンコ玉誘導部材。
【発明の詳細な説明】
【技術分野】
【０００１】
本発明は、複数台のパチンコ遊技機を列設した遊技島内で、前記上部タンクで溢れたパチンコ玉、又は隣接する遊技島から供給されたパチンコ玉を前記下部貯留タンクへ流下させる経路上に設けられたパチンコ玉誘導部材に関するものである。
【背景技術】
【０００２】
複数台（例えば１５台乃至２０台程度）のパチンコ遊技機を片面または両面に直線状に列設（横方向）させた遊技島においては、例えば遊技島内に多量のパチンコ玉を貯留させる下部貯留タンクと、下部貯留タンクのパチンコ玉を排出する循環リフトと、循環リフトによって下部貯留タンクから排出されたパチンコ玉若しくは各パチンコ遊技機から排出されたパチンコ玉を回収する回収樋と、回収樋にて回収されたパチンコ玉を磨きながら上方に揚送する玉揚送装置と、玉揚送装置の上部には揚送されたパチンコ玉を一時貯留させておく上部タンクと、この上部タンクから各パチンコ遊技機や各遊技媒体貸出機に対してパチンコ玉を補給する補給樋と、から大略構成され、島内のパチンコ玉が循環するようにし、営業に支障（補給トラブル等）がないようにしている。
【０００３】
このような遊技島において、例えば特許文献１に開示されている遊技島は、遊技島下部領域に玉貯留タンクをパチンコ玉揚送装置の両側に設け、島の一端側に景品計数機を設置してあり、景品計数機へ投入されたパチンコ玉は景品計数機を設置した側の玉貯留タンクへ流され貯留されるようになっているが、上部タンクから溢れたパチンコ玉を優先分岐部によって景品計数機とは反対側にある貯留タンクへ優先して転動させ、貯留タンクからパチンコ玉を排出する際は景品計数機側の貯留タンクから優先して排出させるように循環リフトを制御してあるので、景品計数機側の貯留タンクは、多くの場合に貯留スペースを確保している状態となっており、景品計数機が受け入れ中止となるようなことは滅多に発生しないとしている。
【特許文献１】特開平９−１７３６０５号公報
【発明の開示】
【発明が解決しようとする課題】
【０００４】
しかしながら、上記したような遊技島の場合、優先して貯留する貯留タンク（景品計数機とは逆側）内には、多量のパチンコ玉が磨かれないまま長時間滞留してしまうことがあり、そのままの状態にしておくとパチンコ玉に錆びが発生する等の問題があった。
【０００５】
このようなことから、閉店時等に時々景品計数機とは逆側の貯留タンクに設置してある循環リフトを駆動させて滞留したパチンコ玉を排出し、玉揚送装置により磨くことが必要となる。しかし、上部タンクが貯留できる玉の量は、貯留タンクと比較してかなり少量であるため、貯留タンクで滞留していたパチンコ玉がほとんど排出しきれていない間に上部タンクが溢れてしまい、優先分岐部によって再び景品計数機とは逆側の貯留タンクへ送られて滞留していたパチンコ玉と混ざってしまうことがあり、効率よく磨くことが困難であった。
【０００６】
以上のことから、パチンコ玉を貯留する貯留タンクの優先順位を切り替えることが求められていた。
【０００７】
本発明は上記した問題点に鑑み、パチンコ玉を貯留する貯留タンクの優先順位を容易に切り替えることが可能なパチンコ玉誘導部材を提供することを目的とする。
【課題を解決するための手段】
【０００８】
上記した目的は、本発明の請求項１によれば、複数台列設されたパチンコ遊技機と、パチンコ玉を貯留する下部貯留タンクと、パチンコ玉を揚送する玉揚送装置と、該玉揚送装置によって揚送されたパチンコ玉を貯留する上部タンクとを備え、前記下部貯留タンクから排出したパチンコ玉を前記玉揚送装置により上部タンク内に揚送し、該上部タンクからパチンコ遊技機に供給して循環還流するように成した遊技島において、前記上部タンクで溢れたパチンコ玉、又は隣接する遊技島から供給されたパチンコ玉を前記下部貯留タンクへ流下させる経路上に設けられたパチンコ玉誘導部材であって、該パチンコ玉誘導部材は回動可能に設けられ、流下してきたパチンコ玉を当接させる誘導面を有し、該誘導面を第１の方向へ向かって下り傾斜させた第１姿勢と、第１の方向とは逆の第２の方向へ向かって下り傾斜させた第２姿勢とで固定可能である構成としたことによって達成される。
【発明の効果】
【０００９】
上記した構成によれば、上部タンクで溢れたパチンコ玉、又は隣接する遊技島から供給されたパチンコ玉を下部貯留タンクへ流下させる経路上に設けられたパチンコ玉誘導部材が、回動可能に設けられ、流下してきたパチンコ玉を当接させる誘導面を有し、誘導面を第１の方向へ向かって下り傾斜させた第１姿勢と、第１の方向とは逆の第２の方向へ向かって下り傾斜させた第２姿勢とで固定可能であるので、パチンコ玉を貯留する貯留タンクの優先順位を容易に切り替えることができる。
【発明を実施するための最良の形態】
【００１０】
以下、図面に示した実施形態に基づいて、本発明を詳細に説明する。図１は遊技島１の構成を概略的に示す図である。
【００１１】
図１に示すように、遊技島１は複数台のパチンコ遊技機２及び遊技媒体貸出機２ａが列設され、島端には玉計数機１ａが設けられている。遊技島の略中央には回収樋５から転動してくるパチンコ玉を上方に磨きながら揚送する玉揚送装置６（例えば、布式による研磨媒体の玉揚送装置等）が化粧パネルで囲まれて備えられている。玉揚送装置６により研磨され揚送されたパチンコ玉は、遊技島上方に設けられた上部タンク２０から各パチンコ遊技機２や各遊技媒体貸出機２ａに対して補給樋７を介して供給される。また、上部タンク２０は内部にパチンコ玉を一時貯留することが可能な貯留部２０ａを備え、貯留部２０ａから溢れたパチンコ玉は流下樋４６Ｌ，４６Ｒを介して遊技島１の下部に設けられた下部貯留タンク（第１下部貯留タンク１０Ｌ、第２下部貯留タンク１０Ｒ）へ送られる。
下部貯留タンク１０Ｌ，１０Ｒは、遊技島下部に玉揚送装置６を挟んで左右に設けられており、第１下部貯留タンク１０Ｌはメイン貯留タンク１０ＬＡ，サブ貯留タンク１０ＬＢ，１０ＬＣ、で構成され、第２下部貯留タンク１０Ｒはメイン貯留タンク１０ＲＡ，サブ貯留タンク１０ＲＢで構成されている。また、下部貯留タンク１０Ｌ，１０Ｒの床面はそれぞれの玉排出部１２Ｌ，１２Ｒに向かってなだらかに下り傾斜しており、下部貯留タンク１０Ｌ，１０Ｒ内のパチンコ玉が傾斜に従って玉排出部１２Ｌ，１２Ｒに向かって転がるように構成されている。
下部貯留タンク１０Ｌ，１０Ｒの玉排出部１２Ｌ，１２Ｒから排出されたパチンコ玉は、それぞれ循環リフト４Ｌ，４Ｒによって取り込まれ、回収樋５Ｌ，５Ｒを介して玉揚送装置６に引き渡されるようになっている。
また、玉計数機１ａに投入されたパチンコ玉は、第２下部貯留タンク１０Ｒへ貯留され、各パチンコ遊技機２から排出されるパチンコ玉（アウト玉）は回収樋５によって回収され、玉揚送装置６に送られるようになっている。
遊技島１は上記したように大略構成され、島内をパチンコ玉が循環還流するように成っていて、各遊技島１の玉貯留量は図示しない島管理装置（島コントローラ等）やホールカウンタ内のシステム管理装置（パソコン等）にて監視制御されている。
【００１２】
また、パチンコ遊技店では上記したような遊技島１が複数列設され、隣接して配設された遊技島１の上部タンク２０同士に一本又は二本のバランス樋（不図示）を架け渡し、各遊技島の玉貯留量に応じて、バランス樋にて供給、受給することで、隣接した遊技島内の玉貯留量を均等化させることが出来るようにしている。
【００１３】
次に、遊技島１の上部に設けられた上部タンク２０の構成について説明する。図２は上部タンクの内部構造を示す図である。上部タンク２０の内部は、図２に示すように、玉揚送装置６により揚送されたパチンコ玉を貯留する貯留部２０ａと、隣接する遊技島とパチンコ玉の供給受給を行うための供給受給部２０ｂを備え、上下に亘って設けられた仕切り壁２２によって仕切られている。また、貯留部２０ａ側には玉揚送装置６により揚送された玉を上部タンク２０内へ受け渡すための矩形状に開口した受渡し口２４が、供給受給部２０ｂ側には隣接する遊技島へ玉を供給するための供給口３４と隣接する遊技島からの玉の供給を受ける受給口３６が設けられ、上部タンク２０の側面に接続された不図示のバランス樋を介して隣接した島との玉の供給、受給を行う。
【００１４】
上部タンク２０の貯留部２０ａの上部には、第１ガイド板２６が先端に向かって僅かに下り傾斜して設けられていて、受渡し口２４から受け入れたパチンコ玉が第１ガイド板２６上を先端に向かって転動する。第１ガイド板２６の先端は供給受給部２０ｂへ繋がっており、供給受給部２０ｂには不図示のシャッターによって開閉される供給口３４が設けられている。
【００１５】
また、供給口３４から第２ガイド板２８が貯留部２０ａへ向かって下り傾斜して設けられ、隣接する遊技島へパチンコ玉を供給する必要がない場合は、供給口３４はシャッターによって閉じられているので、第１ガイド板２６によって供給受給部２０ｂへ転動してきたパチンコ玉は第２ガイド板２８によって貯留部２０ａへ転動される。
貯留部２０ａ内の第２ガイド板２８の先端から水平方向に少し間隔をあけた位置に、例えば弾性ゴム材等で形成された垂直落下部材３０が上部を固着した状態で設けられている。よって第２ガイド板２８を転動してきたパチンコ玉が垂直落下部材３０に衝突し、その際の衝撃が吸収されて貯留部２０ａの底面へ向かって落下して行く。
貯留部２０ａの底面は、垂直落下部材３０の真下の位置の底面頂部３２から左右に向かって下り傾斜し、左右の補給樋７Ｌ，７Ｒへ接続されており、第２ガイド板２８上を転動し垂直落下部材３０に衝突して落下したパチンコ玉は貯留部２０ａの底面頂部３２から左右の補給樋７Ｌ，７Ｒへほぼ均等に振り分けられ、パチンコ遊技機２及び遊技媒体貸出機２ａへ供給される。
【００１６】
貯留部２０ａ内には、下方位置にパチンコ玉貯留量の下限を検知する上部下限スイッチＳ１と、上方位置に貯留量の上限を検知する上部上限スイッチＳ２とが設けられている。
また、貯留部２０ａには縦方向に溢れ玉パイプＯｐが底面を貫通して設けられ、貯留部２０ａ内に上部上限スイッチＳ２を越えてパチンコ玉が貯留された場合に、この溢れ玉パイプＯｐにより分岐部４０にパチンコ玉が送られる。尚、Ｔｃは、溢れ玉パイプＯｐの上端に設けた、補助取付け板である。また、溢れ玉パイプＯｐのさらに上方位置にはリミットスイッチＳ３が設けられ、溢れ玉パイプＯｐや後述する分岐部４０や流下樋４６Ｌ，４６Ｒ等に玉詰まりが発生するなどしてリミットスイッチＳ３を越えてパチンコ玉が貯留された場合に、玉揚送装置６を停止させて、上部タンク２０へのパチンコ玉の供給を停止するようにしている。
【００１７】
また、供給受給部２０ｂ側に設けられた受給口３６の下方には受給玉流入路３８が設けられ、バランス樋により隣島から供給されたパチンコ玉を、後述する分岐部４０を介して下部貯留タンク１０Ｌ，１０Ｒへ送る。
尚、受給玉流入路３８の流出口と溢れ玉パイプＯｐの下端は前後方向に並んで分岐部４０の上部に臨んでいる。
【００１８】
次に分岐部４０について説明する。分岐部４０はボックス状のものであり、上部タンク２０の下端側に取り付けられている。分岐部４０の上面側には溢れ玉パイプＯｐの下端及び受給玉流入路３８の下端が臨んでおり、また底面側にはその溢れ玉パイプＯｐ又は受給玉流入路３８から流下してきたパチンコ玉を左右に振り分けるパチンコ玉誘導部材４２が設けてある。さらに、分岐部４０は、そのボックス状の両端部分で流下樋（第１流下樋４６Ｌ，第２流下樋４６Ｒ）に接続してある。
【００１９】
パチンコ玉誘導部材４２は上部に誘導面４２ａを備え、軸４２ｂを中心にして図３（ａ）に示すような誘導面４２ａが左に向かって下り傾斜した左優先姿勢と、図３（ｂ）に示すような誘導面４２ａが右に向かって下り傾斜した右優先姿勢とに揺動可能に設けられ、それぞれの姿勢において固定穴４２ｃを分岐部４０のネジ穴４４ａ，４４ｂにあわせてネジ止めすることにより固定可能に構成されている。即ち、左優先姿勢にするときには固定穴４２ｃをネジ穴４４ｂにあわせてネジ止めし、右優先姿勢にするときには固定穴４２ｃをネジ穴４４ａにあわせてネジ止めして固定する。
【００２０】
例えば図３（ａ）に示す左優先姿勢の場合には、溢れ玉パイプＯｐ又は受給玉流入路３８を通って落下してきたパチンコ玉は、その大部分が誘導面４２ａに当たり、誘導面４２ａの斜面に沿って、図の左方向に転動し、そのまま左側の第１流下樋４６Ｌに流入し、第１流下樋４６Ｌから遊技島左側の第１下部貯留タンク１０Ｌへ送られる。そして、第１流下樋４６Ｌ側がパチンコ玉で一杯になると、溢れ玉パイプＯｐ又は受給玉流入路３８から落下してきたパチンコ玉は、図の右方向に転動するようになり、そのまま右側の第２流下樋４６Ｒに流入し、第２流下樋４６Ｒから遊技島右側の第２下部貯留タンク１０Ｒへ送られる。
【００２１】
このように、パチンコ玉誘導部材４２が左優先姿勢の場合には、溢れ玉パイプＯｐ又は受給玉流入路３８から流下してきたパチンコ玉は、先ず第１流下樋４６Ｌ側に優先的に搬送され、図１で玉揚送装置６の左側に位置する第１下部貯留タンク１０Ｌから貯留されていく。そして、左側の第１下部貯留タンク１０Ｌが一杯になると、玉揚送装置６の右側に位置する第２下部貯留タンク１０Ｒに貯留されていく。
【００２２】
また、図３（ｂ）に示す右優先姿勢の場合には、溢れ玉パイプＯｐ又は受給玉流入路３８を通って落下してきたパチンコ玉は、誘導面４２ａの斜面に沿って、図の右方向に転動し、そのまま右側の第２流下樋４６Ｒに流入し、第２流下樋４６Ｒから遊技島右側の第２下部貯留タンク１０Ｒへ送られる。そして、第２流下樋４６Ｒ側がパチンコ玉で一杯になると、溢れ玉パイプＯｐ又は受給玉流入路３８から落下してきたパチンコ玉は、図の左方向に転動するようになり、そのまま第１流下樋４６Ｌに流入する。
【００２３】
このように、パチンコ玉誘導部材４２が右優先姿勢の場合には、溢れ玉パイプＯｐ又は受給玉流入路３８から流下してきたパチンコ玉は、先ず第２流下樋４６Ｒ側に優先的に搬送され、図１で玉揚送装置６の右側に位置する第２下部貯留タンク１０Ｒから貯留されていく。そして、右側の第２下部貯留タンク１０Ｒが一杯になると、玉揚送装置６の左側に位置する第１下部貯留タンク１０Ｌに貯留されていく。
【００２４】
上記したように分岐部４０のパチンコ玉誘導部材４２が、左優先姿勢と右優先姿勢とに切替え可能に構成されているので、溢れ玉や隣接遊技島からの受給玉を左右何れの下部貯留タンクへ貯留させるかを容易に切り替えることができる。
【００２５】
次に、貯留玉の回収について説明する。下部貯留タンク１０Ｌ，１０Ｒには、それぞれの側壁に玉量を検出する複数のスイッチ（不図示）が配置してあり、下部貯留タンク１０Ｌ，１０Ｒに貯まったパチンコ玉の高さを検出している。また、前述したように、上部タンク２０の貯留部２０ａ内には上部上限スイッチＳ２と上部下限スイッチＳ１とが設けられている。この上部下限スイッチＳ１がオフとなり、上部タンク２０へのパチンコ玉給送の要求が出力されると、先ず遊技島の右側（玉計数機１ａ側）に設置された第２下部貯留タンク１０Ｒから回収すべく、当該第２下部貯留タンク１０Ｒの循環リフト４Ｒが貯留玉を揚送し回収樋５Ｒに回収され、玉揚送装置６により上部タンク２０へ揚送される。そして、貯留部２０ａ内の上部上限スイッチＳ２がオンとなるまで循環リフト４Ｒが作動し続ける。しかし、第２下部貯留タンク１０Ｒの貯留玉不足等により、上部タンク２０の上部上限スイッチＳ２がオンされる前に第２下部貯留タンク１０Ｒの玉量スイッチが下限を検出すると、当該第２下部貯留タンク１０Ｒの循環用リフト４Ｒはその作動を停止する。
【００２６】
その後、また上部タンク２０の貯留量が減少し上部下限スイッチＳ１がオフとなってパチンコ玉給送の要求が出力されると、今度は遊技島１の左側（玉計数機１ａと逆側）の第１下部貯留タンク１０ａから貯留玉を回収すべく、第１下部貯留タンク１０Ｌの循環リフト４Ｌが貯留玉を揚送し回収樋５Ｌに回収され、玉揚送装置６により上部タンク２０へ揚送される。
【００２７】
上記のように、下部貯留タンク１０から回収樋５に給送するときは、最初に玉計数機１ａ側の第２下部貯留タンク１０Ｒの貯留玉が下限以下となるように優先的に排出するように循環リフト４Ｌ，４Ｒが制御される。
【００２８】
このように循環リフト４Ｌ，４Ｒが制御されているので、上述した分岐部４０のパチンコ玉誘導部材４２を左優先姿勢にして固定しておけば、玉計数機１ａとは逆側の第１下部貯留タンク１０Ｌに優先して貯留されるので、玉計数機１ａ側の第２下部貯留タンク１０Ｒは多くの場合に、貯留スペースを確保している状態となっており、玉計数機１ａが受け入れ中止となるようなことは滅多に発生せず、遊技者に対して便宜が図られて使用しやすい玉計数機を提供することができる。
【００２９】
また、パチンコ玉誘導部材４２を左優先姿勢のままにしておくと、優先して貯留する第２下部貯留タンク内１０Ｒには多量のパチンコ玉が磨かれないまま長時間滞留してしまう可能性もあり、パチンコ玉に錆びが発生する恐れがあるので、閉店時等にはパチンコ玉誘導部材４２を右優先姿勢にし、左側の循環リフト４Ｌを駆動させる。
そうすることによって、玉揚送装置６の左側の第１下部貯留タンク１０Ｌに滞留していたパチンコ玉を排出し、玉揚送装置６にて磨きながら揚送し、分岐部４０のパチンコ玉誘導部材４２を介して右側の第２下部貯留タンク１０Ｒへ移動させることができるので、玉揚送装置６の左側の第１下部貯留タンク１０Ｌに滞留していたパチンコ玉のほぼすべてを磨くことができる。
【００３０】
また、例えば一日おきに優先して貯留するタンクを切り替えるようにすることも容易に可能であり、そうすることによってパチンコ玉が一箇所に滞留しつづけることがなくなり、パチンコ玉に錆びが発生することがなくなる。尚、このように一日おきに優先して貯留するタンクを切り替えるのは、玉計数機を設置しない遊技島、即ち一方側の下部貯留タンクの貯留スペースを常に確保しておく必要のない遊技島において行うことが好ましい。
【００３１】
本実施の形態では、パチンコ玉誘導部材４２の左優先姿勢が発明における第１姿勢を示し、右優先姿勢が発明における第２姿勢を示している。
【００３２】
また、図４に示すように、パチンコ玉誘導部材４２の下部にアーム４２ｄを設けてもよい。そうすることによって、アームを手で掴んで回動操作ができるようになり、より容易に優先して貯留する下部貯留タンクを切り替えることができる。
【００３３】
また、図５に示すように、パチンコ玉誘導部材４２の下部に長穴４２ｅを備えた平板状のアーム４２ｄを設け、モータ５０の駆動により正逆回転するスクリュー部材５２をモータ５０に備え、スクリュー部材５２にはピン５４ａを備えたナット部材５４を螺合させ、ナット部材５４のピン５４ａをアーム４２ｄの長穴４２ｅに嵌合させる構成としてもよい。そうすると、モータ５０が駆動されスクリュー部材５２が回転することより、ナット部材５４がスクリュー部材の回転軸方向にナット部材５４が移動し、パチンコ玉誘導部材４２が軸４２ｂを中心に回動する。即ちモータ５０の駆動によりパチンコ玉誘導部材４２が回動するので、遊技島外でのスイッチによる操作や、リモコンによる遠隔操作によっても優先して貯留する下部貯留タンクを切り替えることが可能となる。
【００３４】
以上説明したように、本発明の構成によれば、上部タンクで溢れたパチンコ玉、又は隣接する遊技島から供給されたパチンコ玉を下部貯留タンクへ流下させる経路上に設けられたパチンコ玉誘導部材が、回動可能に設けられ、流下してきたパチンコ玉を当接させる誘導面を有し、誘導面を第１の方向へ向かって下り傾斜させた第１姿勢と、第１の方向とは逆の第２の方向へ向かって下り傾斜させた第２姿勢とで固定可能であるので、パチンコ玉を貯留する貯留タンクの優先順位を容易に切り替えることができる。
【図面の簡単な説明】
【００３５】
【図１】遊技島の構成を示す概略側面図である。
【図２】上部タンクの内部構成を示す図である。
【図３】分岐部の構成を示す図である。
【図４】他の実施の形態における分岐部の構成を示す図である。
【図５】他の実施の形態における分岐部の構成を示す図である。
【符号の説明】
【００３６】
１      遊技島
１ａ    玉計数機
２      パチンコ遊技機
２ａ    遊技媒体貸出機
４      循環リフト
５      回収樋
６      玉揚送装置
７      補給樋
１０Ｌ    第１下部貯留タンク
１０Ｒ    第２下部貯留タンク
２０      上部タンク
２０ａ    貯留部
２０ｂ    供給受給部
２２      仕切り壁
２４      受渡し口
２６      第１ガイド板
２８      第２ガイド板
３０      垂直落下部材
３２      底面頂部
３４      供給口
３６      受給口
３８      受給玉流入路
４０      分岐部
４２      パチンコ玉誘導部材
４２ａ    誘導面
４２ｂ    軸
４２ｃ    固定穴
４２ｄ    アーム
４４ａ    ネジ穴
４４ｂ    ネジ穴
４６Ｌ    第１流下樋
４６Ｒ    第２流下樋
５０      モータ
Ｏｐ      溢れ玉パイプ
【図１】
2007082948.tif 000003
【図２】
2007082948.tif 000004
【図３】
2007082948.tif 000005
【図４】
2007082948.tif 000006
【図５】
2007082948.tif 000007